(57)【要約】【課題】  ワンタッチで引戸に簡単に取付け、しかも必要に応じて容易に取外すことができる。【解決手段】  取手本体１４の下側を引戸Ｂに固定する下部止め具１６を、一端フリー状態で本体下側壁１３ｂに取付けられるアーム１９と、このアーム１９と交差して結合した係止部材２０とで構成する。係止部材２０には、取手取付穴１８の下面１８ｂに係止する引戸側係止部２２と、本体下側壁１３ｂの窓穴１７に係止する本体側両係止部２３を設け、必要に応じて、本体側係止部２３の係止状態を外部からの操作で解除することにより、係止部材２０全体を回動させて固定力を解き、取手を取外すことができるようにした。【選択図】        図３
2006214170.tif 000002
【特許請求の範囲】
【請求項１】
次の構成を具備することを特徴とする引戸の取手。
(Ａ)  奥壁の周囲に側壁を有する断面凹状に形成された取手本体と、この取手本体の側壁外面に取付けられた止め具とを有すること。
(Ｂ)  上記止め具が取付けられた取手本体の側壁に窓穴が設けられていること。
(Ｃ)  上記止め具は、一端側が固定、他端側がフリーの状態で取手本体の側壁に設けられたバネ性を有するアームと、このアームのフリー側の端部にアームと交差して設けられた係止部材とから成ること。
(Ｄ)  この係止部材には、取手取付穴の周面に向かう引戸側係止部と、取手本体の側壁に向かう本体側係止部とが設けられていること。
(Ｅ)  取手本体が引戸の取手取付穴に嵌め込まれた状態で、上記引戸側係止部が上記取手取付穴の周面に係止し、上記本体側係止部が上記窓穴に係止することによって取手本体が引戸に固定されるように構成されていること。
(Ｆ)  上記窓穴に対する本体側係止部の係止状態が外部からの操作によって解除されることにより、上記係止部材がアームとの交差部分を支点に回動して上記取手取付穴の周面に対する引戸側係止部の係止状態が解除され、取手本体の固定力が解かれるように構成されていること。
【請求項２】
請求項１記載の引戸の取手において、取手本体の側壁が奥壁に向かって先すぼまりに傾斜し、係止部材は、窓穴に対する本体側係止部の係止状態が解除された状態でこの側壁の傾斜に沿って回動するように構成されたことを特徴とする引戸の取手。
【請求項３】
請求項１または２記載の引戸の取手において、止め具のアームと係止部材とが別体に形成され、係止部材の中間部に係合部が設けられる一方、アームのフリー側端部に係合穴が設けられ、上記係合部がこの係合穴に係合することにより、この係合部を介して係止部材とアームとの間で力の伝達が行われるように構成されたことを特徴とする引戸の取手。
【請求項４】
請求項１乃至３のいずれか１項に記載の引戸の取手において、係止部材の本体側係止部に凸部が設けられ、本体側係止部は、この凸部のみが窓穴に嵌まり込む状態で本体側壁に係止するように構成されたことを特徴とする引戸の取手。
【発明の詳細な説明】
【技術分野】
【０００１】
本発明は引戸の取手取付穴に嵌め込まれてワンタッチで取付けられる取手に関するものである。
【背景技術】
【０００２】
引戸に用いられる公知のワンタッチ式の取手とその取付構造を図７,８に示す。
【０００３】
この取手は、奥壁１の周囲にフランジ２付きの側壁３が設けられて断面凹状に形成された取手本体４と、この取手本体４の側壁上下両側の外面にスポット溶接等によって取付けられた止め具５とによって構成される。
【０００４】
止め具５には舌片状の突起５ａが切り起こし形成され、取手本体４が引戸Ａの取手取付穴６に嵌め込まれた状態で、突起５ａが取手取付穴６の周面上下両側(上、下面)６ａ,６ｂに食い込み係止することにより、取手本体４が引戸Ａにワンタッチで取付けられる(特許文献１参照)。
【特許文献１】特開平１０−１０８７５０号公報
【発明の開示】
【発明が解決しようとする課題】
【０００５】
ところが、上記公知の取手によると、一旦取付後は、止め具５(突起５ａ)により取手全体が抜け止めされて取外し困難となるため、木製の引戸Ａと金属製の取手を分別廃棄する場合の障害となっていた。
【０００６】
また、引戸Ａのクロス張替え時や取手の交換時等、取手を取外したい場合があるが、この要請にも応えられなかった。
【０００７】
そこで本発明は、引戸にワンタッチで簡単にかつ強固に取付けることができ、しかも必要に応じて容易に取外すことができる引戸の取手を提供するものである。
【課題を解決するための手段】
【０００８】
請求項１の発明は、次の構成を具備するものである。
【０００９】
(Ａ)  奥壁の周囲に側壁を有する断面凹状に形成された取手本体と、この取手本体の側壁外面に取付けられた止め具とを有すること。
【００１０】
(Ｂ)  上記止め具が取付けられた取手本体の側壁に窓穴が設けられていること。
【００１１】
(Ｃ)  上記止め具は、一端側が固定、他端側がフリーの状態で取手本体の側壁に設けられたバネ性を有するアームと、このアームのフリー側の端部にアームと交差して設けられた係止部材とから成ること。
【００１２】
(Ｄ)  この係止部材には、取手取付穴の周面に向かう引戸側係止部と、取手本体の側壁に向かう本体側係止部とが設けられていること。
【００１３】
(Ｅ)  取手本体が引戸の取手取付穴に嵌め込まれた状態で、上記引戸側係止部が上記取手取付穴の周面に係止し、上記本体側係止部が上記窓穴に係止することによって取手本体が引戸に固定されるように構成されていること。
【００１４】
(Ｆ)  上記窓穴に対する本体側係止部の係止状態が外部からの操作によって解除されることにより、上記係止部材がアームとの交差部分を支点に回動して上記取手取付穴の周面に対する引戸側係止部の係止状態が解除され、取手本体の固定力が解かれるように構成されていること。
【００１５】
請求項２の発明は、請求項１の構成において、取手本体の側壁が奥壁に向かって先すぼまりに傾斜し、係止部材は、窓穴に対する本体側係止部の係止状態が解除された状態でこの側壁の傾斜に沿って回動するように構成されたものである。
【００１６】
請求項３の発明は、請求項１または２の構成において、止め具のアームと係止部材とが別体に形成され、係止部材の中間部に係合部が設けられる一方、アームのフリー側端部に係合穴が設けられ、上記係合部がこの係合穴に係合することにより、この係合部を介して係止部材とアームとの間で力の伝達が行われるように構成されたものである。
【００１７】
請求項４の発明は、請求項１乃至３のいずれかの構成において、係止部材の本体側係止部に凸部が設けられ、本体側係止部は、この凸部のみが窓穴に嵌まり込む状態で本体側壁に係止するように構成されたものである。
【発明の効果】
【００１８】
本発明によると、取手本体を引戸の取手取付穴に嵌め込んだ状態で、止め具における係止部材の引戸側係止部(前記した公知の取手の突起に相当する)が取手取付穴の周面に係止し、この係止力によって取手全体が固定される。
【００１９】
すなわち、取手をワンタッチで簡単にかつ強固に取付けることができる。
【００２０】
そして、取手を取外したいときは、本体側壁の窓穴に対する本体側係止部の係止状態を外部からの操作によって解除する。こうすると、係止部材がアームとの交差部分を支点に回動し、これによって取手取付穴の周面に対する引戸側係止部の係止状態も解除され、取手の固定力が解かれるため、取手を引戸から容易に取外すことができる。
【００２１】
この場合、請求項２の発明によると、取手本体の側壁が奥壁に向かって先すぼまりに傾斜し、係止部材は、窓穴に対する本体側係止部の係止状態が解除されたときにこの側壁の傾斜に沿って回動するため、取手の固定力解除作用がスムーズにかつ確実に行われる。
【００２２】
ところで、止め具のアームと係止部材を一体に形成した場合でも、アームの弾性変形作用を利用して上記固定力解除作用を得ることは可能である。
【００２３】
ただし、請求項３の発明のように、止め具のアームと係止部材を別体とし、これらを互いの係合部と係合穴で係合させて止め具を構成すると、係止部材がアームとの交差部分を支点にスムーズに回動するため、固定力解除作用が無理なく確実に働く。
【００２４】
また、請求項４の発明によると、係止部材の本体側係止部は、凸部のみが窓穴に嵌まり込む状態で本体側壁に係止するため、この係止部分の解除操作がより簡単となる。
【発明を実施するための最良の形態】
【００２５】
本発明の実施形態を図１〜図６によって説明する。
【００２６】
この実施形態にかかる取手は、奥壁１１の周囲にフランジ１２付きの側壁１３が設けられて断面凹形状に形成された取手本体１４と、この取手本体１４の側壁上下両側(以下、本体上側壁、本体下側壁という)１３ａ,１３ｂの外面に取付けられた上部、下部両止め具１５,１６とによって構成される。
【００２７】
本体上側壁１３ａ及び同下側壁１３ｂは、図示のように奥側に向かって先すぼまりとなる傾斜壁として形成され、このうち下部止め具１６が設けられた本体下側壁１３ｂの中間奥側の位置に四角形の窓穴１７が設けられている。
【００２８】
上部止め具１５は、公知の取手の止め具５と同様に、舌片状に切り起こし形成された突起１５ａを備え、図２に示すように取手本体１４が引戸Ｂの取手取付穴１８に嵌め込まれた状態で、この突起１５ａが取手取付穴１８の周面上側１８ａ(以下、これを穴上面といい、周面下側１８ｂを穴下面という)に食い込み係止する。
【００２９】
一方、下部止め具１６は、バネ鋼板等から成るバネ性を備えた板状のアーム１９と、係止部材２０とによって構成される。これらの詳細を図３〜図６に示す。
【００３０】
アーム１９は、後端側(取手本体１４の奥側。これと反対側を前側という)がフリーの状態で、前端部が本体下側壁１３ｂの外面にスポット溶接等によって取付けられる。
【００３１】
このアーム１９には、フリー側端部に平面視で凹形状の係合穴２１(図５,６参照)が設けられている。
【００３２】
係止部材２０は、一端側に、穴下面１８ｂに向う矢尻状の引戸側係止部２２、他端側に、取手本体１４の下側壁１３ｂに向かう本体側係止部２３をそれぞれ備えている。
【００３３】
本体側係止部２３は係合穴２１の上面側に係止するように係合穴２１よりも幅広に形成され、この本体側係止部２３と引戸側係止部２２との間に頸状にくびれた係合部２４が形成されている。
【００３４】
また、本体側係止部２３の前端側の片面に凸部２５が設けられている。
【００３５】
この係止部材２０とアーム１９は、互いの係合部２４と係合穴２１が係合する状態で交差して結合され、上記係合部分を介してアーム１９から本体側係止部２３へ、またはその逆に力の伝達が行われる状態となる。
【００３６】
この結合状態で、係止部材２０は、図３,４に示すように後倒れの傾斜状態でアーム１９に保持され、この状態で本体側係止部２３が本体下側壁１３ｂの窓穴１７に裏側から係止される。
【００３７】
この場合、本体側係止部２３そのものは窓穴２５よりも幅広に形成されているため、凸部２５のみが窓穴１７内に嵌まりこみ、本体側係止部２３の本体部分は窓穴１７の開口縁部に裏側突き当てられた状態となる。
【００３８】
なお、実際の組立手順としては、アーム１９と係止部材２０を結合した後、アーム１９の前端部を本体下側壁１３ｂにスポット溶接等によって取付け、この後、本体側係止部２３を窓穴１７に係止させることとなる。
【００３９】
この状態で、窓穴開口縁部に対する本体側係止部２３の突き当て反力がアーム１９に互いの係合部分を介して伝達されることにより、アーム１９に図３,４中の矢印イで示すバネ力(復元力)が働く。
【００４０】
こうして組立てられた取手を引戸Ｂの取手取付穴１８に押し込むと、上部止め具１５の突起１５ａが穴上面１８ａに食い込み係止することにより、取手本体１４の上側が引戸Ｂに固定される。
【００４１】
一方、取手下側(下部止め具１６)においては、係止部材２０の引戸側係止部２２が穴下面１８ｂに食い込み係止して固定力を発揮する。
【００４２】
このときの係止反力は窓穴１７に他する本体側係止部２３の係止部分(本体下側壁１３ｂ)で受け止められ、これにより取手下側が引戸Ｂに固定される。
【００４３】
すなわち、取手を引戸Ｂに対し、上下両側で強固に固定された状態でワンタッチで簡単に取付けることができる。
【００４４】
ここで、下部止め具１６における係止部材２０の本体側係止部２３は、凸部２５のみが窓穴１７に嵌まり込んだ状態で窓穴１７の開口縁部に係止しているため、この係止状態を外部からの操作によって解除することが可能である。
【００４５】
そこで、取手を取外したいときは、図４に示すように、外部からドライバー等の工具Ｔで凸部２５を窓穴１７から押し出すように操作して本体側係止部２３の係止状態を解除する。
【００４６】
こうすると、図３,４の矢印イで示すアーム１９の回動力により、係止部材２０が奥側に逃げながら中間点を支点として矢印ロ方向に回動する。
【００４７】
この場合、本体下側壁１３ｂは奥すぼまりに傾斜していることから、本体側係止部２３がこの本体下側壁１３ｂの傾斜面に沿って奥側に自然に移動するため、係止部材２０が無理なくスムーズに回動する。
【００４８】
この係止部材２０の運動により、穴下面１８ｂに対する引戸側係止部２２の係止力、つまり、下部止め具１６による取手固定力が解除されるため、この状態で取手下側を図４の二重線矢印ハで示すように前側に引き出すことができる。
【００４９】
これにより、上部止め具１５による固定力も解かれるため、取手全体を引戸Ｂから簡単に取外すことができる。
【００５０】
このため、木製の引戸Ａと金属製の取手を分別廃棄することが可能となる。また、引戸Ｂのクロス張替え時の取手の着脱が可能となるとともに、引戸Ｂを取り替える場合の取手の再利用、それに取手の取替えも可能となる。
【００５１】
他の実施形態
(１)  上記実施形態では、係止部材２０を後倒れの傾斜姿勢でアーム１９に取付けるようにしたが、係止部材２０を垂直またはやや前倒れ姿勢でアーム１９に取付けてもよい。この構成によっても、係止部材２０を外部からの操作で後倒れ方向に押すことにより同部材２０を回動させ、固定力を解除することが可能となる。この場合、係止部材２０にもバネ性を持たせるのが望ましい。
【００５２】
ただし、上記実施形態のように係止部材２０を当初から後倒れに傾斜させておけば、本体側係止部２３の凸部２５を窓穴１７から押し出すだけで係止部材２０が本体下側壁１３ｂに沿って自動的に回動して固定力が解除されるため、操作が簡単となる。
【００５３】
(２)  上記実施形態では、アーム１９と係止部材２０を別体とし、これらを結合して下部止め具１６を構成したが、アーム１９と係止部材２０を一体に成形してもよい。この場合、一体物全体として十分なバネ性を持たせておけば上記実施形態の場合とほぼ同じ作用効果を得ることができる。
【００５４】
(３)  上記実施形態では、本体上側壁１３ａ及び下側壁１３ｂを奥すぼまりに傾斜させたが、この両側壁１３ａ,１３ｂと穴上面１８ａ及び下面１８ｂとの間に止め具取付用の一定の隙間が形成されることを条件として、両側壁１３ａ,１３ｂを水平に形成してもよい。
【００５５】
ただし、下部止め具１６については、取手取外し時に係止部材２０を固定解除方向にスムーズに回動させる上で本体下側壁１３ｂを傾斜させるのが望ましい。
【００５６】
(４)  上記実施形態とは逆に、下部止め具１６を取手上側に、上部止め具１５を下側に配置してもよい。あるいは、上下両側に上記実施形態の下部止め具１６を設けてもよい。
【図面の簡単な説明】
【００５７】
【図１】本発明の実施形態にかかる取手の斜視図である。
【図２】同取手を引戸に取付けた状態の一部拡大断面図である。
【図３】図２のさらに一部を拡大した図である。
【図４】図３の状態から固定力を解除した状態の図である。
【図５】同取手に設けられる止め具の分解斜視図である。
【図６】同止め具の組立斜視図である。
【図７】公知の取手の斜視図である。
【図８】同取手を引戸に取付けた状態の一部拡大断面図である。
【符号の説明】
【００５８】
１１  奥壁
１３  側壁
１３ａ  側壁上側(上側壁)
１３ｂ  側壁下側(下側壁)
１４  取手本体
１６  止め具
１７  本体下側壁の窓穴
Ｂ  引戸
１８  引戸の取手取付穴
１９  止め具のアーム
２１  アームの係合穴
２０  アームの係止部材
２２  係止部材の引戸側係止部
２３  同、本体側係止部
２４  同、係合部
２５  本体側係止部の凸部
【図１】
2006214170.tif 000003
【図２】
2006214170.tif 000004
【図３】
2006214170.tif 000005
【図４】
2006214170.tif 000006
【図５】
2006214170.tif 000007
【図６】
2006214170.tif 000008
【図７】
2006214170.tif 000009
【図８】
2006214170.tif 000010